(57)【特許請求の範囲】
【請求項１】
廃棄物埋立処分場の底部に浸出水の集配水管を敷設し、上記集配水管に下端を連通すると共に、上端が大気に開口し、周壁にガス流通口を有するガス抜き管を上記集配水管から立設し、上記浸出水の集配水管に連通したガス吸引手段を設け、上記ガス吸引手段で吸引したガスを処理するガス処理手段を付設したことを特徴とする廃棄物埋立処分場。
【請求項２】
請求項１に記載の廃棄物埋立処分場において、ガス抜き管の上端部付近に、空気の流入量調節手段を設けたことを特徴とする廃棄物埋立処分場。
【請求項３】
請求項１と２のどれか１項に記載の廃棄物埋立処分場において、ガス抜き管の大気と接する部分の周壁に、ガス流通口を遮断する遮蔽手段を設けたことを特徴とする廃棄物埋立処分場。
【請求項４】
廃棄物埋立処分場の底部に敷設された浸出水の集配水管と、上記集配水管に下端を連通して立設され、上端が大気に開口し、周壁にガス流通口を有するガス抜き管とを備えた廃棄物埋立処分場でのガス収集装置において、上記浸出水の集配水管に連通したガス吸引手段を設けたことを特徴とする廃棄物埋立処分場でのガス収集装置。
【請求項５】
請求項４に記載の廃棄物埋立処分場でのガス収集装置において、ガス抜き管の上端部付近に、空気の流入量調節手段を設けたことを特徴とする廃棄物埋立処分場でのガス収集装置。
【請求項６】
請求項４と５のどれか１項に記載の廃棄物埋立処分場でのガス収集装置において、ガス抜き管の大気と接する部分の周壁に、ガス流通口を遮断する遮蔽手段を設けたことを特徴とする廃棄物埋立処分場でのガス収集装置。
【請求項７】
廃棄物埋立処分場の底部に敷設された浸出水の集配水管と、上記集配水管に下端を連通して立設され、上端が大気に開口し、周壁にガス流通口を有するガス抜き管と、浸出水の集配水管に連通したガス吸引手段とを備えた廃棄物埋立処分場でのガス処理装置であって、上記ガス吸引手段で吸引したガスをガス処理手段に供給するようにしたことを特徴とする廃棄物埋立処分場でのガス処理装置。
【請求項８】
請求項７に記載の廃棄物埋立処分場でのガス処理装置において、ガス抜き管の上端部付近に、空気の流入量調節手段を設けたことを特徴とする廃棄物埋立処分場でのガス処理装置。
【請求項９】
請求項７と８のどれか１項に記載の廃棄物埋立処分場でのガス処理装置において、ガス抜き管の大気と接する部分の周壁にガス流通口を遮断する遮蔽手段を設けたことを特徴とする廃棄物埋立処分場でのガス処理装置。
【発明の詳細な説明】
【０００１】
【発明の属する技術分野】
この発明は、廃棄物を埋立処分するための廃棄物埋立処理場と、そこでのガス収集装置及びガス処理装置に関する。
【０００２】
【従来の技術】
廃棄物埋立処分場では、投入した廃棄物の層からメタンや炭酸ガスのほか、硫化水素、硫化メチル、二硫化メチルの、メチルメルカプタン、アンモニアなどを含むガスが発生し、その悪臭による埋立作業環境及び埋立地周辺の環境汚染、火災、広義には温暖化ガスの排出による環境破壊などの問題を惹起している。
【０００３】
【発明が解決しようとする課題】
このため、既設の処分場の多くは、大地を掘下げて構築した凹窪部の底部に浸出水の集配水管を敷設し、上端が大気に開口し、周壁にガス流通口を有するガス抜き管の下端を上記集配水管に連通して立設し、嫌気的条件でガスを発生する廃棄物の層内に自然に空気の流入を行う準好気性埋立構造が多くの埋立地で採用されているが、埋立る廃棄物の性状等によっては対応が間に合わず、ガスによる問題は解消されていない。又、積極的に発生ガスの処理を行うため、既設のガス抜き管すべての上部にガス処理装置を設置したり、新たにガス抜き井戸を設置することも行われているが、これには多大のコストと時間を要する。
【０００４】
【課題を解決するための手段】
本発明は、上述した問題点を解消するために開発されたもので、請求項１の廃棄物埋立処分場は底部に浸出水の集配水管を敷設し、上記集配水管に下端を連通すると共に、上端が大気に開口し、周壁にガス流通口を有するガス抜き管を上記集配水管から立設し、上記浸出水の集配水管に連通したガス吸引手段を設け、上記ガス吸引手段で吸引したガスを処理するガス処理手段を付設したことを特徴とする。この場合、ガス抜き管の上端部付近に、空気の流入量調節手段を設けたり、ガス抜き管の大気と接する部分の周壁に、ガス流通口を遮断する遮蔽手段を設けたりすることが好ましい。請求項４の廃棄物埋立処分場でのガス収集装置は、廃棄物埋立処分場の底部に敷設された浸出水の集配水管と、上記集配水管に下端を連通して立設され、上端が大気に開口し、周壁にガス流通口を有するガス抜き管とを備えた廃棄物埋立処分場でのガス収集装置において、上記浸出水の集配水管に連通したガス吸引手段を設けたことを特徴とする。又、請求項７の廃棄物処分場でのガス処理装置は、廃棄物埋立処分場の底部に敷設された浸出水の集配水管と、上記集配水管に下端を連通して立設され、上端が大気に開口し、周壁にガス流通口を有するガス抜き管と、浸出水の集配水管に連通したガス吸引手段とを備えた廃棄物埋立処分場でのガス処理装置であって、上記ガス吸引手段で吸引したガスをガス処理手段に供給するようにしたことを特徴とする。そして、請求項４の廃棄物処分場でのガス収集装置も、請求項７の廃棄物処分場でのガス処理装置も、ガス抜き管の上端部付近に、空気の流入量調節手段を設けたり、ガス抜き管の大気と接する部分の周壁にガス流通口を遮断する遮蔽手段を設けたりすることが好ましい。
【０００５】
【発明の実施の形態】
図示の実施例において、１０は大地を深く掘下げて凹窪部として構築した広大な廃棄物埋立処分場で、その内周と底は周知のように凹窪部内で発生した浸出水が地中に浸透して地下水を汚染するのを防止するため不透水性シートで覆われている。又、凹窪部の底部には投棄した廃棄物から発生した浸出水を場外の貯溜槽１２に排水する集配水管１１が網の目の様に設けてある。集配水管１１の凹窪部内に配管されている部分には浸出水を管内に取入れるための通水口が周壁に開設してある。
【０００６】
上記集配水管１１の凹窪部内に配管されている部分の所々に、下端が集配水管と連通したガス抜き管１３が立設してある。ガス抜き管１３の上端は開口し、周壁には凹窪部内に投棄された廃棄物Ａから発生するガスを取り入れるためのガス流通口を有する。凹窪部内に投棄された廃棄物の層の高さがガス抜き管１３の上端に近付いてきたら新しいガス抜き管を継いで上に伸ばし、その上端は常に廃棄物の層の上面より上に位置させる。
【０００７】
貯溜槽１２に集まった浸出水はポンプＰ1で浸出水処理施設へ送水し、無害化して放流する。
【０００８】
又、貯溜槽１２の気相部には、送気管１４の一端が開口している。送気管１４にはガス吸引手段としてフアンＦが設けられ、送気管１４の他端はガス処理手段１５に連絡している。上記フアンＦの運転によって、処分場の凹窪部に投入した埋立廃棄物の層で発生したガスは、ガス抜き管１３の内部に周壁のガス流通口から入り、下向流して浸出水の集配水管１１の内部を通って貯溜槽１２に導かれ、送気管１４でガス処理手段１５に送入され、ここで処理される。
【０００９】
ガス処理手段１５でのガス処理は、一般的なガス処理でよく、例えば、水洗、アルカリ洗浄、酸洗浄、アルカリ＋次亜塩素酸ソーダ洗浄、酸洗浄＋アルカリ洗浄、酸洗浄＋（アルカリ＋次亜塩素酸ソーダ洗浄）、活性炭吸着、生物脱臭（水処理の曝気槽への吹き込みも含む）、脱硫塔等であり、発生ガスの性状により選定する。このガス処理は浸出水処理場で一括して処理しても良い。
【００１０】
ガス抜き管の全部の上端は大気に開口しているので、全部のガス抜き管の開口部にダンパー等の開口度合いを調整できる設備を付与し、空気の流入を制御することが好ましい。それは、全てのガス抜き管から効率的に空気と発生ガスを吸引するためと、埋立廃棄物は嫌気性で無く好気状態に保ち、分解の促進と、嫌気性発酵による硫化水素等の発生を抑制するためである。従って、全てのガス抜き管からも若干の空気を吸引するようにダンパー１６等で調整する。尚、各ガス抜き管に流量計を付与しても良い。こうして出来ればガス抜き管と集配水管の各連結点での酸素濃度が１５％以上あることが望ましい。
【００１１】
ガス抜き管は周壁にガス流通口を有するものを用いるが、開口部付近の埋立廃棄物層から上に出ている部分には覆い１７を施し、ガス抜き管側面のガス流通口を仮設的に遮蔽することが、効率的なガス吸引のために望ましい。また、集配水管も通常周壁に通水口を有するものを用いるが、埋立初期で凹窪部の底部の集配水管上に廃棄物が積まれていない場合も、同様の理由で仮設的に遮蔽を行うことが望ましい。ただしこれらの遮蔽物は、ガス抜き管および集配水管本来の機能を妨げないよう、埋立物により埋設される直前に撤去する。
【００１２】
特にガス抜き管は、前述したように、埋立物の嵩が高くなるに伴い上に延長させていくため、ガス流通口の遮蔽物およびダンパー等の空気流入量調節設備は簡易に取付け、取外しできるようにしておくことが望まれる。
【００１３】
図１の実施例では浸出水の貯溜槽１２は密閉構造にし、貯溜槽からガスが外に洩れるのを防止しているが、図２の実施例のように貯溜槽の上面は開放していてもよい。この場合は、浸出水を貯溜槽に導入する集配水管の末端１１′を貯溜槽内の浸出水の液中に浸漬してガスが貯溜槽の外に出るのを阻止し、集配水管中をフアンで吸引されるガスは、集配水管に接続した送気管１４からガス処理手段１５に供給すればよい。
【００１４】
廃棄物埋立処分場は、大地を掘下げて構築する場合を例にして説明してきたが、山間の谷間を造成して建設してもよいし、平地に土堰壁、コンクリート側壁を設けて形成してもよい。また、本発明は既設の処分場にも、新設の処分場にも適用することができる。
【００１５】
【発明の効果】
本発明によれば、廃棄物埋立処分場から発生する悪臭・可燃性・毒性・地球温暖化物質を含んだガスをガス抜き管と連結した集配水管の末端よりフアン等のガス吸引手段で吸引し、ガス処理手段で処理を行うことにより発生ガスを周辺に拡散することなく、効果的に環境改善を行うことができる。更に、集配水管の集合終点（排水貯溜槽入口）の一箇所にてガス処理を行うため、ガス抜き管全てに処理装置を設置したり、ガス抜き井戸を設置する方法と比較し、効率が良いと共に埋立処分場の施設稼動後にガス問題が顕在化した場合にも、増設がしやすい。
【図面の簡単な説明】
【図１】本発明による廃棄物埋立処分場と、そのガス収集装置及びガス処理装置の一実施例のフローシート。
【図２】本発明による廃棄物埋立処分場と、そのガス収集装置及びガス処理装置の他の実施例のフローシート。
【符号の説明】
１０    廃棄物埋立処分場
１１    浸出水の集配水管
１２    浸出水の貯溜槽
１３    ガス抜き管
１４    送気管
１５    ガス処理手段
１６    ダンパー
１７    遮蔽用の覆い
【図１】
0003879563.tif 000002
【図２】
0003879563.tif 000003